(57)【要約】【課題】帳票データとデータベース装置のデータ格納領域との割付関係を自動的に照合し、一覧表示する表示データ項目試験支援装置を得る。【解決手段】電子帳票作成装置によって作成され、帳票データ表示項目とこれに対応するデータベース装置での帳票データ格納領域とが定義された電子帳票から、データ取得手段２３により帳票データ表示項目及び帳票データ格納領域の情報を取得し、この取得した帳票データ表示項目及び帳票データ格納領域の情報を用いて、割付情報表示手段２４により、帳票データ表示項目毎の帳票データ格納領域の割付情報を示すテーブルを表示し、割付範囲表示手段２５により、帳票データ表示項目毎の帳票データ格納領域の割付範囲を表示するようにした。【選択図】図２
2007179405.tif 000002
【特許請求の範囲】
【請求項１】
電子帳票作成装置によって作成され、帳票データ表示項目とこれに対応するデータベース装置での帳票データ格納領域とが定義された電子帳票から、上記帳票データ表示項目及び上記帳票データ格納領域の情報を取得するデータ取得手段、このデータ取得手段により取得した上記帳票データ表示項目及び上記帳票データ格納領域の情報を用いて、上記帳票データ表示項目毎の上記帳票データ格納領域の割付情報を示すテーブルを表示する割付情報表示手段、及び上記データ取得手段により取得した上記帳票データ表示項目及び上記帳票データ格納領域の情報を用いて、上記帳票データ表示項目毎の上記帳票データ格納領域の割付範囲を表示する割付範囲表示手段を備えたことを特徴とする表示データ項目試験支援装置。
【請求項２】
上記割付情報表示手段は、上記データベース装置の上記帳票データ格納領域に格納される帳票データの属性情報を表示することを特徴とする請求項１記載の表示データ項目試験支援装置。
【請求項３】
上記割付情報表示手段により表示された上記割付情報を示すテーブルを編集する編集手段を備え、この編集手段による編集結果は、上記割付範囲表示手段による割付範囲の表示に反映されることを特徴とする請求項１記載の表示データ項目試験支援装置。
【請求項４】
電子帳票作成装置によって作成され、帳票データ表示項目とこれに対応するデータベース装置での帳票データ格納領域とが定義された電子帳票から、上記帳票データ表示項目及び上記帳票データ格納領域の情報を取得するデータ取得手段、このデータ取得手段により取得した上記帳票データ表示項目及び上記帳票データ格納領域の情報を用いて、上記帳票データ表示項目毎の上記帳票データ格納領域の割付範囲を表示する割付範囲表示手段、及び上記データ取得手段により取得した上記帳票データ表示項目及び上記帳票データ格納領域の情報を用いて、上記割付範囲表示手段により表示された割付範囲との対応が分かるように、帳票データ表示項目毎の上記帳票データ格納領域の割付情報を上記割付範囲と同一画面上に表示するコメント表示手段を備えたことを特徴とする表示データ項目試験支援装置。
【発明の詳細な説明】
【技術分野】
【０００１】
この発明は、電子帳票作成装置により作成された電子帳票の帳票表示データ項目の試験を支援する表示データ項目試験支援装置に関するものである。
【背景技術】
【０００２】
近年のコンピュータの普及とネットワークの発達にともない、帳票処理業務においても従来の紙を利用した形態から、情報処理技術を利用した電子化、ペーパーレス化が進んでいる。例えば、紙で作成した帳票のイメージ全体をスキャナ装置で取り込んで電子ファイルとして管理するものから、帳票フォーマットの作成、各種データ加工、印刷まで一貫したシステムで実現するものまで、様々な形態がある。
【０００３】
【特許文献１】特開平１０−２６９３０４号公報（第８〜１４頁、図２）
【発明の開示】
【発明が解決しようとする課題】
【０００４】
電子帳票作成装置を用いて電子帳票を作成する際、電子帳票に入力した帳票データをデータベース装置に保存する。これを再利用するためには、データベース装置にてリレーショナルデータベースなどのデータベースソフトウェアを用いて、帳票データとデータベース装置のデータ格納領域との割付関係を電子帳票に定義しておく必要がある。（特許文献１参照）
しかしながら、帳票データとデータベース装置のデータ格納領域との割付関係を電子帳票に定義する際、定義した割付関係が適切であったかどうかを確認するためには、帳票データの該当項目がデータベース装置のデータ格納領域のどこに割付けられているかを、一つずつ人力により照合する必要がある。この照合作業を手作業で行うと、帳票データのデータ量に比例して試験工数が増加するという問題がある。
【０００５】
この発明は、上述のような課題を解決するためになされたものであり、帳票データとデータベース装置のデータ格納領域との割付関係を自動的に照合し、一覧表示する表示データ項目試験支援装置を得ることを目的にしている。
【課題を解決するための手段】
【０００６】
この発明に係わる表示データ項目試験支援装置においては、電子帳票作成装置によって作成され、帳票データ表示項目とこれに対応するデータベース装置での帳票データ格納領域とが定義された電子帳票から、帳票データ表示項目及び帳票データ格納領域の情報を取得するデータ取得手段、このデータ取得手段により取得した帳票データ表示項目及び帳票データ格納領域の情報を用いて、帳票データ表示項目毎の帳票データ格納領域の割付情報を示すテーブルを表示する割付情報表示手段、及びデータ取得手段により取得した帳票データ表示項目及び帳票データ格納領域の情報を用いて、帳票データ表示項目毎の帳票データ格納領域の割付範囲を表示する割付範囲表示手段を備えたものである。
【発明の効果】
【０００７】
この発明は、以上説明したように、電子帳票作成装置によって作成され、帳票データ表示項目とこれに対応するデータベース装置での帳票データ格納領域とが定義された電子帳票から、帳票データ表示項目及び帳票データ格納領域の情報を取得するデータ取得手段、このデータ取得手段により取得した帳票データ表示項目及び帳票データ格納領域の情報を用いて、帳票データ表示項目毎の帳票データ格納領域の割付情報を示すテーブルを表示する割付情報表示手段、及びデータ取得手段により取得した帳票データ表示項目及び帳票データ格納領域の情報を用いて、帳票データ表示項目毎の帳票データ格納領域の割付範囲を表示する割付範囲表示手段を備えたので、電子帳票の帳票データ表示項目とデータベース装置の帳票データ格納領域との割付け関係を容易に確認することができ、試験工数を大幅に削減できると共に、データベース装置に関する知識、経験が無くても確認試験の実施が可能である。
【発明を実施するための最良の形態】
【０００８】
実施の形態１．
図１は、この発明の実施の形態１による表示データ項目試験支援装置が用いられるシステム全体を示すブロック構成図である。
図１において、電子帳票作成装置１は、表計算ソフトウエアなどのインターフェイスを介して帳票フォーマットの作成と帳票データの入力を行い、電子帳票を作成する。表示データ項目試験支援装置２は、電子帳票作成装置１と同じ装置で構成され、電子帳票作成装置１の帳票データ表示項目とデータベース装置４の帳票データ格納領域との割付け関係を自動的に照合し、帳票作成者により確認（試験）するために、この関係を表示する。アプリケーションサーバ装置３は、電子帳票作成装置１の帳票データをネットワーク５経由で受信してデータ処理を行う。データベース装置４は、アプリケーションサーバ装置３で処理された帳票データを登録する。電子帳票作成装置１、表示データ項目試験支援装置２、アプリケーションサーバ装置３及びデータベース装置４は、ネットワーク５によって接続されている。
【０００９】
図２は、この発明の実施の形態１による表示データ項目試験支援装置を示すブロック構成図である。
図２において、表示データ項目試験支援装置２は、電子帳票作成装置１から電子帳票に定義されている帳票表示データ項目と帳票データ格納領域の割付情報の各データを取得するデータ取得手段２３と、データ取得手段２３によって取得されたデータを用いて、図４に示すような割付情報をテーブルの形で表示する割付情報表示手段２４と、データ取得手段２３によって取得されたデータを用いて、図３に示すような割付範囲を表示する割付範囲表示手段２５とにより構成される。
表示データ項目試験支援装置２では、電子帳票作成装置１と同一の表計算ソフトウエアなどによるインターフェイスを介して、電子帳票のデータを取得する。ここで、電子帳票のデータは複数のシートから構成されており、帳票表示項目が記載されたシートと帳票データ格納領域の割付情報が格納されたシートを保持している。データ取得手段２３では、帳票データ格納領域の割付情報が格納されたシートを読取る。次に、割付情報表示手段２４では、データ取得手段２３によって取得されたデータを元に図４に示す割付情報に関する一覧表を出力する。ここで、表示データ項目と表示領域に関する情報１５は、表示データ項目が記載されたシート内の位置情報と対応して表わされている。次に割付範囲表示手段２５では、表示データ項目と表示領域に関する情報１５を元に、表示データ項目が記載されたシート内の位置情報を割り出し、図３に示すように該当する領域に割付番号１３と割付範囲を表わす図形１４を貼り付ける。
【００１０】
図３は、この発明の実施の形態１による表示データ項目試験支援装置における電子帳票の帳票表示データ項目と帳票データ格納領域との割付範囲の照合結果を表示した図である。
図３において、電子帳票の帳票表示データ項目と帳票データ格納領域との割付範囲の一覧表示１１には、電子帳票の帳票表示データ項目の項目名称１２と、電子帳票の帳票表示データ項目と帳票データ格納領域との割付関係を番号付けした割付番号１３と、電子帳票の帳票表示データ項目と帳票データ格納領域との割付範囲を表示した割付範囲１４とが含まれる。割付範囲１４は、位置情報を持っているマス目に、位置情報に基づき表示される。この図３の様式による報告書として出力される。
【００１１】
図４は、この発明の実施の形態１による表示データ項目試験支援装置における電子帳票の帳票表示データ項目に対応する帳票データ格納領域の割付情報を表示した図である。
図４において、１２〜１４は図３におけるものと同一のものである。図４は、図３と対で表示され、図３の１２〜１４を含む帳票表示データ項目の表示領域の情報１５と、電子帳票の帳票表示データ項目に割付けられた帳票データ格納領域の情報１６とをテーブルにしたものである。情報１６には、テーブル名とカラム名が含まれる。
【００１２】
図５は、この発明の実施の形態１による表示データ項目試験支援装置の割付け情報の確認処理の全体の流れを示すフローチャートである。
図６は、この発明の実施の形態１による表示データ項目試験支援装置の割付け情報の確認処理の詳細な流れを示すフローチャートであり、図５のフロー１０４をさらに詳しくしたものである。
【００１３】
次に、図１〜図４を参照しながら、図５に基づき動作について説明する。
図５で、電子帳票作成装置１により電子帳票を作成する（フロー１０１）。次いで、データベース装置４に電子帳票のデータ格納領域を作成する（フロー１０２）。このフロー１０２では、電子帳票全体のデータ格納領域を作成する。これは、電子帳票作成装置１で、データベース装置４に電子帳票のデータ格納領域の作成指示を出すことにより行ってもよいし、データベース装置４のインターフェイスを介して作成者が直接作成してもよい。
次いで、電子帳票作成装置１で電子帳票を作成する際、電子帳票の帳票表示データ項目に対して、項目毎に、データベース装置４の帳票データ格納領域を割付ける（フロー１０３）。これにより、電子帳票の帳票データをデータベース装置４に登録または読み出しを行うことができるようになる。
【００１４】
ここで、電子帳票作成装置１が、作成中の電子帳票に対してデータベース装置４の帳票データ格納領域の割付けを行う際、アプリケーションサーバ装置３に対し、データベース装置４の電子帳票全体の帳票データ格納領域に関する情報を問合せる。アプリケーションサーバ装置３は、この問合わせに応じて、データベース装置４から電子帳票全体の帳票データ格納領域に関する情報を入手し、電子帳票作成装置１に転送する。
電子帳票作成装置１では、アプリケーションサーバ装置３から入手した電子帳票全体の帳票データ格納領域の情報に基づき、作成中の電子帳票の帳票表示データ項目に帳票データ格納領域を割付けると同時に、当該電子帳票の設定情報として帳票データ格納領域との割付けに関するデータを保持する。この割付けに関するデータには、図４のように、帳票データ格納領域のテーブル名、カラム名、及びカラムの割付け範囲が含まれる。
【００１５】
次いで、電子帳票作成装置１が、電子帳票を作成した後、データベース装置４の帳票データ格納領域との割付けが妥当であるかどうかの確認試験を行う。ここで、電子帳票作成装置１を表示データ項目試験支援装置２として用いる。
表示データ項目試験支援装置２では、電子帳票に保持している帳票データ格納領域との割付けに関するデータを元に、図３に示すように、帳票表示データ項目１２に対して帳票データ格納領域の割付番号１３および割付範囲１４を表示出力する（フロー１０４）。
【００１６】
ここで、表示データ項目試験支援装置２では、図３に示す割付範囲１４に関する一覧１１を表示出力すると共に、図４に示すように、帳票表示データ項目の表示領域の情報１５とこれに対応する帳票データ格納領域の情報１６の一覧を表示出力する。
これらの表示出力により、帳票作成者は、電子帳票の帳票表示データ項目と帳票データ格納領域との割付け関係を確認し、確認結果を入力する（フロー１０５）。確認結果が問題なければ、割付け処理を終了する。また、確認結果に問題があれば、フロー１０３に帰り、割付けを修正する。
【００１７】
次に、図６により、フロー１０４をさらに詳しく説明する。
まず、電子帳票作成装置１から電子帳票に保持された帳票表示データ項目と帳票データ格納領域との割付けに関するデータを取得する（フロー２０１）。次いで、この取得したデータを用いて、図４に示すような割付情報を一覧表示する（フロー２０２）。次いで、取得したデータを用いて、図３に示すような割付範囲を一覧表示する（フロー２０３）。
フロー２０１では、表計算ソフトウエアなどのインターフェイスを介して、電子帳票のデータから帳票データ格納領域の割付け情報が格納されたシートを読取る。フロー２０２では、帳票データ格納領域の割付け情報が格納されたシートを元に、帳票表示データ項目に関する表示領域の情報１５と帳票データ格納領域の割付け情報１６との対応関係を割り出して、図４に示すように割付け情報を一覧表示する。フロー２０３では、帳票表示データ項目に関する表示領域の情報１５を元に、帳票表示項目が記載されたシート内の割付範囲を割り出して、図３に示すように該当する領域に割付番号１３と割付範囲を表わす図形１４を貼り付ける。
【００１８】
実施の形態１によれば、表示データ項目試験支援装置により、電子帳票作成装置の帳票データ表示項目とデータベース装置の帳票データ格納領域との割付け関係を自動的に照合し、その結果を一覧表示するので、従来のように、逐一手作業により、帳票データについてそれぞれ帳票データ格納領域との割付け関係を照合する必要がなくなり、試験工数を大幅に削減できる時間短縮効果がある。
また、自動的に照合した結果を一覧表示するので、データベース装置に関する知識、経験が無くても確認の実施が可能であり、併せて試験品質の向上と均一化を達成できるという効果がある。
【００１９】
なお、上記図１の説明では、アプリケーションサーバ装置３とデータベース装置４を別の装置としているが、両者を同一の装置で構成することもできる。
【００２０】
また、図１において、電子帳票作成装置１および表示データ項目試験支援装置２は、同一の装置構成としているが、表示データ項目試験支援装置２をネットワーク５に接続されていない別の装置構成とし、電子帳票作成装置１に接続または可搬型記憶媒体により電子帳票作成装置１の情報を受け渡ししてもよい。
【００２１】
実施の形態２．
図７は、この発明の実施の形態２による表示データ項目試験支援装置の表示に、帳票データに関する属性情報を追加して一覧表示した図である。
図７において、１２〜１６は図４におけるものと同一のものである。図７では、割付情報表示手段による表示に、電子帳票の帳票表示データ項目に対応するデータベース装置４の帳票データ格納領域の属性情報２２が追加して表示される。
【００２２】
次に、図１〜図４および図７を参照しながら、動作について説明する。
実施の形態１では、表示データ項目試験支援装置２において、電子帳票に保持している帳票データ格納領域との割付けデータを図３および図４のように表示出力し、割付けの確認を行っているが、実施の形態２は、電子帳票作成装置１において、データベース装置４から帳票データ格納領域の帳票データに関する属性情報（データ型、制約など）を入手し、この帳票データに関する属性情報も図７のように、出力表示するようにした。
すなわち、実施の形態２は、図７に示すように、図４の情報に加え、帳票データに関する属性情報２２も出力表示することにより、データベース設計内容の確認を同時に行うことができる。
【００２３】
実施の形態２によれば、表示データ項目試験支援装置により、電子帳票作成装置の帳票表示データ項目とデータベース装置の帳票データ格納領域との割付け関係の照合確認に加え、データベース装置の帳票データに関する属性情報を一覧表示して、これを確認することができる。
これにより、データベース装置の帳票データに関する属性情報についても同時に確認試験を実施することができる時間短縮効果がある。
【００２４】
実施の形態３．
図８は、この発明の実施の形態３による表示データ項目試験支援装置での割付情報の一覧表示の編集例を示す図である。
図８において、電子帳票の帳票表示データ項目の割付情報表示３１と、これを編集した後の電子帳票の帳票表示データ項目の割付情報表示３２が示されている。一覧表示の項目Ｎｏ．１と項目Ｎｏ．３の位置を入れ替えている。
【００２５】
図９は、この発明の実施の形態３による表示データ項目試験支援装置での図８の編集を反映した電子帳票の帳票表示データ項目とデータベース装置の帳票データ格納領域との割付範囲情報を示す図である。
図９において、図８に示すような表示の編集変更に合わせて、図３に示す割付範囲を表示変更する。電子帳票の帳票表示データ項目の割付範囲表示４１と、編集後の電子帳票の帳票表示データ項目の割付範囲表示４２が示されている。項目Ｎｏ．１と項目Ｎｏ．３の表示を入れ替えている。
【００２６】
次に、図１、図３、図７、図８および図９を参照しながら、動作について説明する。
実施の形態３は、表示データ項目試験支援装置２に編集手段を設けている。
実施の形態２では、表示データ項目試験支援装置２において、図３に示す割付範囲表示と図７に示す割付情報表示を出力し、帳票表示データ項目と帳票データ格納領域との割付けの確認を行っているが、実施の形態３は、表示データ項目試験支援装置２の出力結果を、編集手段により、編集する場合についてのものである。
この編集手段により、図８に示すように、編集前の割付情報表示３１を編集後の割付割付情報表示３２に変更すると、図９に示すように、割付情報表示に対応する割付範囲表示も、編集前の割付範囲表示４１から編集後の割付範囲表示４２に自動的に変更される。
【００２７】
実施の形態３によれば、表示データ項目試験支援装置２の出力結果である割付情報の一覧表示を編集することが容易にできる。
また、この編集結果に、データベース装置の帳票データに関する属性情報を自動的に反映するので、表示の整合性を確保できる効果がある。
【００２８】
実施の形態４．
図１０は、この発明の実施の形態４による表示データ項目試験支援装置において、電子帳票が複数のシートで構成されている場合の割付範囲を一覧表示した図である。
図１０において、複数のシートで構成された電子帳票５１には、複数のシートで構成された電子帳票の第１シート５２と、第２シート５３と、第３シート５３が含まれる。
図１１は、この発明の実施の形態４による表示データ項目試験支援装置において、電子帳票が複数のシートで構成されている場合に、割付情報を一覧表示した図である。
図１１において、テーブル名欄に、ＲＥＰＯＲＴ１、ＲＥＰＯＲＴ２、ＲＥＰＯＲＴ３のように、複数のシートに対応したレポート番号を付している。
【００２９】
次に、図１、図３、図７、図１０および図１１を参照しながら、動作について説明する。
実施の形態２では、表示データ項目試験支援装置２において、単一シートの電子帳票に対して、図３に示す割付範囲表示と図７に示す割付情報表示を出力し、帳票表示データ項目と帳票データ格納領域との割付けの確認を行っているが、実施の形態４は、複数のシートで構成された電子帳票の取り扱いについてのものである。
この場合には、割付範囲表示は、図１０に示すように第１シート５２、第２シート５３、第３シート５４で連続する割付番号１３を割当て、割付情報表示は、図１１に示すように、全シートをまとめて、テーブル名欄でシートを区別しながら一覧表示する。
以上により、表示データ項目試験支援装置２において複数のシートで構成された電子帳票を取り扱う場合においても、１回の試験（照合確認）実施で全シートの試験結果を出力することができる。
【００３０】
実施の形態４によれば、表示データ項目試験支援装置により、電子帳票作成装置で作成した電子帳票が複数シート構成であっても、複数シートに対して同時に、表示項目データと帳票データ格納領域の照合確認の実施と結果の作成を行うことができる。
これにより、複数シートからなる電子帳票の表示項目データと帳票データ格納領域の照合確認の工数を削減できる時間短縮効果がある。
【００３１】
実施の形態５．
図１２は、この発明の実施の形態５による表示データ項目試験支援装置において、電子帳票の帳票表示データ項目とデータベース装置の帳票データ格納領域との割付範囲表示にコメントを追加した図である。
図１２において、電子帳票の帳票表示データ項目Ｎｏ．１に関するコメント表示６１と、電子帳票の帳票表示データ項目Ｎｏ．２に関するコメント表示６２と、電子帳票の帳票表示データ項目Ｎｏ．３に関するコメント表示６３とが示されている。このコメント情報は、図７に示す割付情報のデータを用いる。
【００３２】
次に、図１、図３、図７、および図１２を参照しながら、動作について説明する。
実施の形態５は、表示データ項目試験支援装置２に割付情報表示手段がなく、代わりにコメント表示手段を有している。
実施の形態２では、表示データ項目試験支援装置２において、作成した電子帳票に関して図３に示す割付範囲表示と図７に示す割付情報表示を別々に出力し、帳票表示データ項目と帳票データ格納領域との割付けの確認を行っているが、実施の形態５は、図１２に示すように、割付情報のデータを割付範囲表示の各項目のコメント情報として設定することにより、一つの図で、帳票表示データ項目の割付けを個別に確認することができるようにした。
コメント表示手段は、割付範囲表示手段による割付範囲の表示上に、表示された割付範囲との対応が分かるように、割付情報をコメントの形で表示する。
【００３３】
実施の形態５によれば、表示データ項目試験支援装置で、データベース装置の帳票データに関する割付情報及び属性情報を用いて、電子帳票作成装置の帳票表示データ項目とデータベース装置の帳票データ格納領域との割付範囲表示に、コメント表示することにより、一つの図により割付け関係を表示することができる。
【図面の簡単な説明】
【００３４】
【図１】この発明の実施の形態１による表示データ項目試験支援装置が用いられるシステム全体を示すブロック構成図である。
【図２】この発明の実施の形態１による表示データ項目試験支援装置を示すブロック構成図である。
【図３】この発明の実施の形態１による表示データ項目試験支援装置における電子帳票の帳票表示データ項目と帳票データ格納領域との割付範囲の照合結果を表示した図である。
【図４】この発明の実施の形態１による表示データ項目試験支援装置における子帳票の帳票表示データ項目に対応する帳票データ格納領域の割付情報を表示した図である。
【図５】この発明の実施の形態１による表示データ項目試験支援装置の割付け情報の確認処理の全体の流れを示すフローチャートである。
【図６】この発明の実施の形態１による表示データ項目試験支援装置の割付け情報の確認処理の詳細な流れを示すフローチャートである。
【図７】この発明の実施の形態２による表示データ項目試験支援装置の表示に、帳票データに関する属性情報を追加して一覧表示した図である。
【図８】この発明の実施の形態３による表示データ項目試験支援装置での割付情報の一覧表示の編集例を示す図である。
【図９】この発明の実施の形態３による表示データ項目試験支援装置での図８の編集を反映した電子帳票の帳票表示データ項目とデータベース装置の帳票データ格納領域との割付範囲情報を示す図である。
【図１０】この発明の実施の形態４による表示データ項目試験支援装置において、電子帳票が複数のシートで構成されている場合の割付範囲を一覧表示した図である。
【図１１】この発明の実施の形態４による表示データ項目試験支援装置において、電子帳票が複数のシートで構成されている場合に、割付情報を一覧表示した図である。
【図１２】この発明の実施の形態５による表示データ項目試験支援装置において、電子帳票の帳票表示データ項目とデータベース装置の帳票データ格納領域との割付け範囲の表示にコメントを追加した図である。
【符号の説明】
【００３５】
１  電子帳票作成装置
２  表示データ項目試験支援装置
３  アプリケーションサーバ装置
４  データベース装置
５  ネットワーク
１１  電子帳票の帳票表示データ項目と帳票データ格納領域との割付範囲の一覧表示
１２  項目名称
１３  割付番号
１４  割付範囲
１５  電子帳票の帳票表示データ項目と表示領域の情報
１６  電子帳票の帳票表示データ項目に割付けられた帳票データ格納領域の情報
２２  電子帳票の帳票表示データ項目の属性情報
２３  データ取得手段
２４  割付情報表示手段
２５  割付範囲表示手段
３１  電子帳票の帳票表示データ項目の割付情報表示
３２  電子帳票の帳票表示データ項目の割付情報表示
４１  電子帳票の帳票表示データ項目の割付範囲表示
４２  電子帳票の帳票表示データ項目の割付範囲表示
５１  複数のシートで構成された電子帳票
５２  複数のシートで構成された電子帳票の第１シート
５３  複数のシートで構成された電子帳票の第２シート
５４  複数のシートで構成された電子帳票の第３シート
６１  電子帳票の帳票表示データ項目Ｎｏ．１に関するコメント表示
６２  電子帳票の帳票表示データ項目Ｎｏ．２に関するコメント表示
６３  電子帳票の帳票表示データ項目Ｎｏ．３に関するコメント表示
【図１】
2007179405.tif 000003
【図２】
2007179405.tif 000004
【図３】
2007179405.tif 000005
【図４】
2007179405.tif 000006
【図５】
2007179405.tif 000007
【図６】
2007179405.tif 000008
【図７】
2007179405.tif 000009
【図８】
2007179405.tif 000010
【図９】
2007179405.tif 000011
【図１０】
2007179405.tif 000012
【図１１】
2007179405.tif 000013
【図１２】
2007179405.tif 000014